(57)【要約】【課題】フィルタ部とアンテナ部との接続において平衡入力（出力）と非平衡入力（出力）を適宜選択して行えるようにして、アンテナを有する電子機器（通信機器を含む）の小型化及び高性能化を実現させる。【解決手段】多数の誘電体層Ｓ１〜Ｓ９を積層して構成し、かつ、その外周面に少なくとも入出力端子及びアース電極を形成した誘電体基板１２を具備させ、該誘電体基板１２中に複数の両端開放型の１／２波長共振素子１４ａ及び１４ｂをそれぞれ平行に配置させてフィルタ部１６を構成し、アンテナ部２０を誘電体基板１２の表面に形成して構成する。そして、複数の１／２波長共振素子１４ａ及び１４ｂのうち、少なくとも出力側の共振素子１４ｂの長さ方向中心に対して線対称の位置に配置された２つの入出力用電極２８及び３０を誘電体基板１２内に形成し、これら２つの入出力用電極２８及び３０をアンテナ部２０の平衡入出力端子３２及び３４にそれぞれ接続して構成する。【選択図】図１
2006148959.tif 000002
【特許請求の範囲】
【請求項１】
平衡入出力方式のアンテナ部と、
少なくとも前記アンテナ部と接続される入出力部分が平衡入出力方式であるフィルタ部とを有することを特徴とするアンテナ装置。
【請求項２】
請求項１記載のアンテナ装置において、
前記アンテナ部の開放端と容量を構成するアース電極を有することを特徴とするアンテナ装置。
【請求項３】
請求項１又は２記載のアンテナ装置において、
前記アンテナ部とフィルタ部とが一体化されていることを特徴とするアンテナ装置。
【請求項４】
請求項３記載のアンテナ装置において、
多数の誘電体層が積層されて構成され、かつ、その外周面に少なくとも入出力端子及びアース電極が形成された誘電体基板を具備し、
前記フィルタ部は、前記誘電体基板中に複数の両端開放型の１／２波長共振器がそれぞれ平行に配置されて構成され、
前記アンテナ部は、前記誘電体基板に形成されていることを特徴とするアンテナ装置。
【請求項５】
請求項４記載のアンテナ装置において、
前記アンテナ部とフィルタ部は、前記誘電体基板上、平面的に互いに分離された領域に形成されていることを特徴とするアンテナ装置。
【請求項６】
請求項４又は５記載のアンテナ装置において、
前記複数の１／２波長共振器のうち、アンテナ部側における１／２波長共振器の長さ方向中心に対して線対称の位置に配置された２つの入出力用電極を誘電体基板内に有し、
前記２つの入出力用電極が前記アンテナ部の平衡入出力端子にそれぞれ接続されていることを特徴とするアンテナ装置。
【請求項７】
請求項６記載のアンテナ装置において、
前記２つの入出力用電極は、前記アンテナ部側の１／２波長共振器とそれぞれ容量結合されていることを特徴とするアンテナ装置。
【請求項８】
請求項６記載のアンテナ装置において、
前記２つの入出力用電極は、前記アンテナ部側の１／２波長共振器とそれぞれ直接接続されていることを特徴とするアンテナ装置。
【請求項９】
請求項４〜７のいずれか１項に記載のアンテナ装置において、
前記フィルタ部は、前記誘電体基板内において隣接する１／２波長共振器に対して誘電体層を挟んで重なり、かつ、これら隣接する１／２波長共振器を容量結合させる結合調整電極を有することを特徴とするアンテナ装置。
【請求項１０】
請求項９記載のアンテナ装置において、
前記結合調整電極が複数形成され、
これら複数の結合調整電極が前記１／２波長共振器の長さ方向中心に対して線対称の位置に形成されていることを特徴とするアンテナ装置。
【請求項１１】
請求項４〜１０のいずれか１項に記載のアンテナ装置において、
前記フィルタ部は、前記各１／２波長共振器の両開放端に誘電体層を挟んで重なるように配置された内層アース電極を有することを特徴とするアンテナ装置。
【請求項１２】
請求項４〜１１のいずれか１項に記載のアンテナ装置において、
前記誘電体基板のうち、アンテナ部が形成された誘電体層の誘電率とフィルタ部が形成された誘電体層の誘電率とが異なることを特徴とするアンテナ装置。
【請求項１３】
請求項１２記載のアンテナ装置において、
アンテナ部が形成された誘電体層の誘電率が、フィルタ部が形成された誘電体層の誘電率よりも低いことを特徴とするアンテナ装置。
【発明の詳細な説明】
【技術分野】
【０００１】
本発明は、例えばダイポールアンテナやループアンテナ等の平衡入力方式のアンテナ装置に関する。
【背景技術】
【０００２】
一般に、基本的なアンテナ素子としては、平衡入力方式のダイポールアンテナ及びループアンテナや、非平衡入力方式のモノポールアンテナ及びヘリカルアンテナ等がある。
【０００３】
平衡入力方式のアンテナ装置は、グランド板を利用せず、アンテナ装置自身で励振する構造であり、非平衡入力方式のアンテナ装置は、グランド板を利用して励振する構造である。
【０００４】
非平衡入力方式のアンテナ装置を移動体通信機に搭載して使用した場合、通信機の筐体はグランド板として機能する。グランド板は無限平面ではないため、筐体の形、サイズによってアンテナを調整しなくてはならないという不都合がある。
【０００５】
一方、平衡入力方式のアンテナ装置は、筐体の影響を受けにくく、非平衡入力方式のアンテナ装置よりも調整の手間が少なくて済むという利点がある。また、性能面では、同一の原理で励振する非平衡入力方式のアンテナ装置と比較すると、アンテナ装置自身が大きいため、利得、帯域幅の面で有利になる。
【０００６】
更に、従来では、アンテナ装置の小型化並びに通信機の小型化を図るために、例えば誘電体基体の表面に電極膜によるアンテナパターンを形成したものが多数提案されている（例えば特許文献１〜３参照）。
【０００７】
【特許文献１】特開平１０−４１７２２号公報
【特許文献２】特開平９−１６２６３３号公報
【特許文献３】特開平１０−３２４１３号公報
【発明の開示】
【発明が解決しようとする課題】
【０００８】
ところで、従来においては、これまで、高周波帯域のアンテナ装置として、非平衡入力方式のアンテナ装置が使用されてきた。
【０００９】
その理由は、アンテナ装置に接続される初段のフィルタが非平衡出力方式であったために、この非平衡出力方式のフィルタに平衡入力方式のアンテナ装置を接続する場合は、平衡−非平衡変換器であるバランを使用する必要があった。
【００１０】
バランを設けると、部品点数の拡大、基板占有面積の増大が生じ、基本的な要求であるアンテナ装置の小型化を実現できないという問題がある。
【００１１】
つまり、現状では、非平衡入力方式のアンテナ装置を使用する方が挿入損失、コストの面で有利になる。
【００１２】
しかしながら、バランを使用しなくても平衡入力方式のアンテナ装置をフィルタに接続することができれば、平衡入力方式のアンテナ装置が有する利点を十分に発揮させることができ、アンテナ装置の更なる小型化、高性能化を促進させることができることは明らかである。
【００１３】
なお、誘電体基体にアンテナパターンを形成した各種提案例に係るアンテナ装置においては、もっぱらアンテナの形成パターンに関するものであり、フィルタの接続については何ら問題提起がなされていない。
【００１４】
本発明はこのような課題を考慮してなされたものであり、その目的とするところは、フィルタとアンテナとの接続において平衡入力（出力）と非平衡入力（出力）を適宜選択して行うことができ、アンテナを有する電子機器（通信機器を含む）の小型化及び高性能化を実現させることができるアンテナ装置を提供することにある。
【課題を解決するための手段】
【００１５】
本発明に係るアンテナ装置は、平衡入出力方式のアンテナ部と、少なくとも前記アンテナ部と接続される入出力部分が平衡入出力方式であるフィルタ部とを有して構成される。
【００１６】
即ち、フィルタ部におけるアンテナ部側の入出力方式が平衡入出力方式であるため、該フィルタ部の入出力端子に接続されるアンテナ部として、平衡入力方式のアンテナ装置とすることができる。
【００１７】
このように、本発明に係るアンテナ装置においては、フィルタ部とアンテナ部との接続において平衡入力（出力）と非平衡入力（出力）を適宜選択して行うことができ、アンテナ部を有する電子機器（通信機器を含む）の小型化及び高性能化を確実に実現させることができる。
【００１８】
そして、前記構成において、前記アンテナ部の開放端と容量を構成するアース電極を有するようにしてもよい。この場合、アンテナ部の開放端とアース電極との間に形成される静電容量がアンテナ部を等価変換したときの並列共振回路の静電容量に付加されることになるため、共振周波数を同一とすれば、該並列共振回路のインダクタンスは小さくて済むことになり、その結果、アンテナ部の長さ（アンテナ長）もより小さくすることができ、アンテナ部全体の長さを短くすることができる。
【００１９】
また、前記構成において、前記アンテナ部とフィルタ部とを一体化して構成するようにしてもよい。この場合、バラン等を設けずにアンテナ部とフィルタ部を一体化することができるため、アンテナ装置の小型化を更に促進させることができる。
【００２０】
また、前記構成において、多数の誘電体層を積層して構成し、かつ、その外周面に少なくとも入出力端子及びアース電極を形成した誘電体基板を具備させ、前記フィルタ部を、前記誘電体基板中に複数の両端開放型の１／２波長共振素子をそれぞれ平行に配置させて構成し、前記アンテナ部を、前記誘電体基板に形成するようにしてもよい。
【００２１】
この場合、アンテナ部を誘電体基板の表面に形成するようにしてもよいし、誘電体基板の内側に形成するようにしてもよい。また、前記アンテナ部とフィルタ部を、前記誘電体基板上、平面的に互いに分離された領域に形成するようにしてもよい。
【００２２】
本発明に係るアンテナ装置の構成要素の一つであるフィルタ部に使用される１／２波長共振器は、両端が開放されたかたちとなっているため、誘電体基板の端部にまで共振器を延在して形成する必要がなく、製造プロセスによる基板寸法の変動等によっても共振周波数がばらつくということがない。従って、高性能なアンテナ装置を提供することができる。
【００２３】
また、前記構成において、前記複数の１／２波長共振器のうち、少なくとも出力側の１／２波長共振器の長さ方向中心に対して線対称の位置に配置された２つの入出力用電極を誘電体基板内に有し、前記２つの入出力用電極を前記アンテナ部の平衡入出力端子にそれぞれ接続するようにしてもよい。
【００２４】
即ち、前記フィルタ部は、アンテナ部との接続において平衡入力（出力）と非平衡入力（出力）を適宜選択して行うことができるため、アンテナ部として平衡入出力方式のアンテナを用いることができる。
【００２５】
本発明に係るアンテナ装置の構成要素の一つであるフィルタ部は、上述したように、１／２波長共振器の中点に対して対称位置の２つの電極から出力を得ることで、平衡出力を得ることができ、逆に、１／２波長共振器の中点に対称な位置で逆位相の信号を入力すると共振させることができ、これにより平衡入力が可能となる。
【００２６】
従来では、フィルタと平衡入出力方式のアンテナ素子を接続するためには、その間にバランを付加する必要があったが、本発明では、アンテナ素子との接続において平衡入力（出力）と非平衡入力（出力）を適宜選択して行うことができるため、バラン等の余分な回路部品を用いることなしに平衡入出力方式のアンテナ部との接続を行うことができる。これは、アンテナ装置の小型化及び高性能化に寄与することになる。
【００２７】
また、前記構成において、前記２つの入出力用電極を、前記アンテナ部側の１／２波長共振器とそれぞれ容量結合させるようにしてもよいし、前記アンテナ部側の１／２波長共振器とそれぞれ直接接続させるようにしてもよい。
【００２８】
また、前記構成において、前記フィルタ部を、前記誘電体基板内において隣接する１／２波長共振器に対して誘電体層を挟んで重なり、かつ、これら隣接する１／２波長共振器を容量結合させる結合調整電極を設けるようにしてもよい。
【００２９】
これにより、前記結合調整電極と１／２波長共振器との間、並びに前記結合調整電極と別の１／２波長共振器との間にそれぞれ容量が形成される。等価回路的には、これら容量の合成容量が隣接する１／２波長共振器との間に形成される誘導結合と並列に接続されたかたちになるため、前記容量によって誘導結合度を調整することができ、所望の帯域幅を有するフィルタを得ることができる。
【００３０】
前記容量の調整は、１／２波長共振器と結合調整電極との重なり面積及びこれらの間の距離及び／又はこれらの間の誘電体の比誘電率εｒを変化させることによって容易に行うことができる。
【００３１】
また、前記結合調整電極による合成容量が１／２波長共振器間の誘導結合と並列に接続されたかたちになることから、隣接する１／２波長共振器間には並列共振回路が挿入接続されたことになる。この容量とインダクタンスとからなる並列共振回路のインピーダンスは並列共振点の前後で誘導性から容量性へと変化するため、隣接する１／２波長共振器と結合調整電極間にそれぞれ形成される容量の値を調整することにより、１／２波長共振器間の結合を誘導性にも容量性にもすることができる。
【００３２】
いま、１／２波長共振器間の結合を誘導性にした場合を考えると、通過帯域の高周波側に並列共振点が存在するから、高周波側に減衰極をもったフィルタが得られ、また、１／２波長共振器間の結合を容量性にすると、通過帯域の低周波側に並列共振点が存在することになり、低周波側に減衰極をもったフィルタが得られ、いずれの場合もフィルタの減衰特性を改善することができる。
【００３３】
また、前記構成において、前記結合調整電極を複数形成し、これら複数の結合調整電極を前記１／２波長共振器の長さ方向中心に対して線対称の位置に形成するようにしてもよい。
【００３４】
この場合、製造工程における１／２波長共振器と結合調整電極との位置ずれの影響を抑制することができる。具体的には結合調整電極の効果は、１／２波長共振器との相対位置の影響を受けるが、結合調整電極を１／２波長共振器の長さ方向中心に対して線対称の位置に形成することで、たとえ１／２波長共振器の長手方向に位置ずれが生じたとしても、複数の結合調整電極の効果の変化が互いに相殺するようになり、１／２波長共振器と結合調整電極との位置ずれの影響を抑制することができる。
【００３５】
また、前記構成において、フィルタ部に、前記各１／２波長共振器の両開放端に誘電体層を挟んで重なるように配置された内層アース電極を設けるようにしてもよい。
【００３６】
この場合、各１／２波長共振器の開放端側と内層アース電極との間に形成される静電容量も１／２波長共振器を等価変換したときの並列共振回路の静電容量に付加されることになるため、共振周波数を同一とすれば、並列共振回路のインダクタンスは小さくて済むことになり、その結果、１／２波長共振器の長さ（共振器長）もより小さくすることができ、フィルタ部全体の長さを短くすることができる。
【００３７】
この場合に、フィルタ部を小型化するために、内層アース電極と各１／２波長共振器との対向面積を増加させていくと、１／２波長共振器同士がますます強く誘導結合して、フィルタの特性を広帯域化させすぎるという問題が生じるが、本発明においては、上述した結合調整電極を設けるようにしているため、この結合調整電極と１／２波長共振器間に形成される容量によって、１／２波長共振器間の静電容量と、１／２波長共振器間の誘導結合から構成されるトータルのサセプタンスの絶対値が変化することとなる。従って、この容量の値を調整することによって１／２波長共振器間の結合度を調整することができ、所望の帯域幅を有するフィルタを得ることができる。
【００３８】
また、１／２波長共振器と内層アース電極で、１／２波長共振器の長手方向（軸方向）に積層ずれが生じたとしても、１／２波長共振器の各開放端の容量変化が相殺し合うため、共振周波数のばらつきを小さくすることができる。
【００３９】
また、前記構成において、前記誘電体基板のうち、アンテナ部が形成された誘電体層の誘電率とフィルタ部が形成された誘電体層の誘電率とが異なるようにしてもよい。特に、アンテナ部が形成された誘電体層の誘電率を、フィルタ部が形成された誘電体層の誘電率よりも低くすることによって、フィルタ部を小型化できると同時に、アンテナ部における帯域幅の減少、低利得化を有効に抑えることが可能となる。
【発明の効果】
【００４０】
以上説明したように、本発明に係るアンテナ装置によれば、フィルタ部とアンテナ部との接続において平衡入力（出力）と非平衡入力（出力）を適宜選択して行うことができ、アンテナを有する電子機器（通信機器を含む）の小型化及び高性能化を実現させることができる。
【発明を実施するための最良の形態】
【００４１】
以下、本発明に係るアンテナ装置のいくつかの実施の形態例を図１〜図２６を参照しながら説明する。説明の便宜のために、これらの図に記載されたアンテナ素子において、図面上、左側の面を左側面、右側の面を右側面、手前側の面を正面、奥行き側の面を背面と記す。
【００４２】
第１の実施の形態に係るアンテナ装置１０Ａは、図１に示すように、複数枚の板状の誘電体層が積層、焼成されて構成された誘電体基板１２内に、２本の両端開放型の１／２波長共振素子１４ａ及び１４ｂがそれぞれ平行に形成された構成を有するフィルタ部１６と、誘電体基板１２の上面に電極膜により形成されたダイポールアンテナ１８からなるアンテナ部２０を具備して構成されている。ここで、アンテナ部２０を構成するアンテナ１８は、各開放端が互いに離間する位置となるように第１の誘電体層Ｓ１上に形成されている。
【００４３】
具体的には、前記誘電体基板１２は、図１に示すように、上から順に、第１の誘電体層Ｓ１〜第９の誘電体層Ｓ９が積み重ねられて構成されている。これら第１〜第９の誘電体層Ｓ１〜Ｓ９は１枚あるいは複数枚の層にて構成される。
【００４４】
前記アンテナ部２０とフィルタ部１６は、誘電体基板１２上、平面的に互いに分離された領域に形成されている。例えば、図１上、左の領域にフィルタ部１６が形成され、右の領域にアンテナ部２０が形成されている。更に、前記アンテナ部２０は、第１の誘電体層Ｓ１の上面に形成され、フィルタ部１６は、第２の誘電体層Ｓ２から第９の誘電体層Ｓ９にかけて形成されている。
【００４５】
また、図３に示すように、誘電体基板１２の外周面のうち、例えばその左側面に１つの入出力端子２２が形成され、該入出力端子２２を除く左側面から下面にかけてアース電極２４が形成されている。
【００４６】
そして、この第１の実施の形態に係るアンテナ装置１０Ａのフィルタ部１６においては、図１に示すように、第６の誘電体層Ｓ６の一主面に２本の共振素子１４ａ及び１４ｂ（第１及び第２の共振素子１４ａ及び１４ｂ）がそれぞれ平行に形成されている。これら共振器１４ａ及び１４ｂは、各両端が開放とされている。
【００４７】
前記第６の誘電体層Ｓ６の上層に位置する第５の誘電体層Ｓ５の一主面には、１つの入出力用電極２６と、２つの入出力用電極（第１及び第２の入出力用電極２８及び３０）が形成されている。
【００４８】
入出力用電極２６は、一端が入出力端子２２（図２参照）に接続され、かつ、前記第１の共振素子１４ａと容量結合されるように形成されている。第１及び第２の入出力用電極２８及び３０は、各一端がダイポールアンテナ１８における２つの平衡入出力端子（第１及び第２の入出力端子３２及び３４）にそれぞれスルーホール３６及び３８を通じて接続され、かつ、第２の共振素子１４ｂと容量結合されるように形成されている。
【００４９】
つまり、このフィルタ部１６は、バラン等の付加的な回路部品を介さずに平衡入出力方式で直接アンテナ部２０と電気的に接続されることになる。また、反対側の入出力用電極２６を通じて図示しない他の回路と非平衡入出力方式で接続されることになる。
【００５０】
一方、第２の誘電体層Ｓ２の一主面と、第９の誘電体層Ｓ９の他主面（誘電体基板１２の下面）には、それぞれ誘電体基板１２の左側面から延びる矩形状の比較的面積の大きな内層アース電極４０及び４２が形成されている。
【００５１】
第４の誘電体層Ｓ４の一主面と第８の誘電体層Ｓ８の一主面には、前記２本の共振素子１４ａ及び１４ｂの各両端に対応してそれぞれ４つの内層アース電極、即ち、合計８つの内層アース電極（第１〜第８の内層アース電極）４４ａ〜４４ｈが形成されている。
【００５２】
この場合、第１、第３、第５及び第７の内層アース電極４４ａ、４４ｃ、４４ｅ及び４４ｇが、第１及び第２の共振素子１４ａ及び１４ｂの各一方の開放端に対向するように形成され、第２、第４、第６及び第８の内層アース電極４４ｂ、４４ｄ、４４ｆ及び４４ｈが、第１及び第２の共振素子１４ａ及び１４ｂの各他方の開放端に対向するように形成されている。
【００５３】
更に、第１〜第４の内層アース電極４４ａ〜４４ｄは、第２の誘電体層Ｓ２の一主面に形成された内層アース電極４０にそれぞれスルーホール４６ａ〜４６ｄを介して電気的に接続され、第５〜第８の内層アース電極４４ｅ〜４４ｈは、第９の誘電体層Ｓ９の他主面に形成された内層アース電極４２にそれぞれスルーホール４６ｅ〜４６ｈを介して電気的に接続されている。
【００５４】
第７の誘電体層Ｓ７の一主面には、アース電極２４、入出力端子２２及びアンテナ部２０に対して電位的にフローティング状態とされた２つの結合調整電極（第１及び第２の結合調整電極５０及び５２）が形成されている。
【００５５】
これら第１及び第２の結合調整電極５０及び５２は、第１の共振素子１４ａに対向する短冊状の第１の電極本体５０ａ及び５２ａと第２の共振素子１４ｂに対向する短冊状の第２の電極本体５０ｂ及び５２ｂとが、その間に形成されたリード電極５０ｃ及び５２ｃによって電気的に接続された形状を有する。
【００５６】
更に、この実施の形態では、第１及び第２の結合調整電極５０及び５２は、図４に示すように、２本の共振素子１４ａ及び１４ｂの長さ方向中心の線ｍに対して線対称の位置に形成されている。
【００５７】
第１の実施の形態に係るアンテナ装置１０Ａは、基本的には以上のように構成されるものであるが、ここで、各電極の電気的な結合について図２及び図３を参照しながら説明する。
【００５８】
まず、図２に示すように、第１の共振素子１４ａの両開放端と第１、第２、第５及び第６の内層アース電極４４ａ、４４ｂ、４４ｅ及び４４ｆとの間にはそれぞれ静電容量Ｃ１及びＣ２並びにＣ３及びＣ４が形成され、第２の共振素子１４ｂの両開放端と第３、第４、第７及び第８の内層アース電極４４ｃ、４４ｄ、４４ｇ及び４４ｈとの間にはそれぞれ静電容量Ｃ５及びＣ６並びにＣ７及びＣ８が形成されている。
【００５９】
それぞれ隣接する共振素子１４ａ及び１４ｂ同士は互いに誘導結合され、これにより、等価回路上では、隣接する共振素子１４ａ及び１４ｂ間にインダクタンスＬが挿入されたかたちとなる。
【００６０】
また、図３に示すように、第１の共振素子１４ａと入出力用電極２６との間には静電容量Ｃ９が形成され、第２の共振素子１４ｂと第１の入出力用電極２８との間、並びに第２の共振素子１４ｂと第２の入出力用電極３０との間にはそれぞれ静電容量Ｃ１０及びＣ１１が形成されている。
【００６１】
更に、第１の共振素子１４ａと第１の結合調整電極５０との間、並びに第１の結合調整電極５０と第２の共振素子１４ｂとの間にはそれぞれ静電容量Ｃ１２及びＣ１３が形成され、第１の共振素子１４ａと第２の結合調整電極５２との間、並びに第２の結合調整電極５２と第２の共振素子１４ｂとの間にはそれぞれ静電容量Ｃ１４及びＣ１５が形成されている。
【００６２】
このように、第１の実施の形態に係るアンテナ装置１０Ａにおいては、多数の誘電体層を積層して構成し、かつ、その外周面に少なくとも入出力端子２２及びアース電極２４を形成した誘電体基板１２を具備させ、フィルタ部１６を、前記誘電体基板１２中に第１及び第２の共振素子１４ａ及び１４ｂをそれぞれ平行に配置させて構成し、アンテナ部２０を、誘電体基板１２の上面に形成するようにしている。
【００６３】
フィルタ部１６に使用される第１及び第２の共振素子１４ａ及び１４ｂは、両端が開放されたかたちとなっているため、誘電体基板１２の端部にまで第１及び第２の共振素子１４ａ及び１４ｂを延在して形成する必要がなく、製造プロセスによる基板寸法の変動等によっても共振周波数がばらつくということがない。従って、高性能なアンテナ装置１０Ａを提供することができる。
【００６４】
また、第１及び第２の共振素子１４ａ及び１４ｂのうち、少なくとも第２の共振素子１４ｂの長さ方向中心に対して線対称の位置に配置された２つの入出力用電極２８及び３０を誘電体基板１２内に設け、第１及び第２の入出力用電極２８及び３０をアンテナ部２０の第１及び第２の入出力端子３２及び３４にそれぞれ接続するようにしたので、アンテナ部２０との接続において平衡入力（出力）と非平衡入力（出力）を適宜選択して行うことができ、アンテナ部２０として平衡入出力方式のアンテナ（例えばダイポールアンテナ１８）を用いることができる。
【００６５】
フィルタ部１６は、上述したように、第１及び第２の共振素子１４ａ及び１４ｂの中点に対して対称な位置の２つの電極から出力を得ることで、平衡出力を得ることができ、逆に、第１及び第２の共振素子１４ａ及び１４ｂの中点に対して対称な位置で逆位相の信号を入力すると共振させることができ、これにより平衡入力が可能となる。
【００６６】
従来では、フィルタと平衡入出力方式のアンテナ素子を接続するためには、その間にバランを付加する必要があったが、この実施の形態では、アンテナ部２０との接続において平衡入力（出力）と非平衡入力（出力）を適宜選択して行うことができるため、バラン等の余分な回路部品を用いることなしに平衡入出力方式のアンテナ部２０との接続を行うことができる。これは、アンテナ装置１０Ａの小型化及び高性能化に寄与することになり、ひいてはアンテナを有する電子機器（通信機器を含む）の小型化及び高性能化を確実に実現させることができる。
【００６７】
また、この実施の形態においては、フィルタ部１６に、誘電体基板１２内において隣接する第１及び第２の共振素子１４ａ及び１４ｂに対して第６の誘電体層Ｓ６を挟んで重なり、かつ、これら隣接する第１及び第２の共振素子１４ａ及び１４ｂを容量結合させる第１及び第２の結合調整電極５０及び５２を設けるようにしたので、第１及び第２の結合調整電極５０及び５２と第１の共振素子１４ａとの間、並びに第１及び第２の結合調整電極５０及び５２と第２の共振素子１４ｂとの間にそれぞれ容量が形成される。等価回路的には、これら容量の合成容量が隣接する第１及び第２の共振素子１４ａ及び１４ｂとの間に形成されるインダクタンスＬと並列に接続されたかたちになるため、前記容量によって結合度を調整することができ、所望の帯域幅を有するフィルタを得ることができる。
【００６８】
前記容量の調整は、第１及び第２の共振素子１４ａ及び１４ｂと第１及び第２の結合調整電極５０及び５２との重なり面積及びこれらの間の距離及び／又はこれらの間の誘電体の比誘電率εｒを変化させることによって容易に行うことができる。
【００６９】
また、第１及び第２の結合調整電極５０及び５２による合成容量が第１及び第２の共振素子１４ａ及び１４ｂ間のインダクタンスＬと並列に接続されたかたちになることから、隣接する第１及び第２の共振素子１４ａ及び１４ｂ間には並列共振回路が挿入接続されたことになる。この容量とインダクタンスとからなる並列共振回路のインピーダンスは並列共振点の前後で誘導性から容量性へと変化するため、隣接する第１及び第２の共振素子１４ａ及び１４ｂと第１及び第２の結合調整電極５０及び５２間にそれぞれ形成される容量の値を調整することにより、第１及び第２の共振素子１４ａ及び１４ｂ間の結合を誘導性にも容量性にもすることができる。
【００７０】
いま、第１及び第２の共振素子１４ａ及び１４ｂ間の結合を誘導性にした場合を考えると、通過帯域の高周波側に並列共振点が存在するから、高周波側に減衰極をもったフィルタが得られ、また、第１及び第２の共振素子１４ａ及び１４ｂ間の結合を容量性にすると、通過帯域の低周波側に並列共振点が存在することになり、低周波側に減衰極をもったフィルタが得られ、いずれの場合もフィルタの減衰特性を改善することができる。
【００７１】
更に、この実施の形態では、第１及び第２の結合調整電極５０及び５２を第１及び第２の共振素子１４ａ及び１４ｂの長さ方向中心に対して線対称の位置に形成するようにしたので、製造工程における第１及び第２の共振素子１４ａ及び１４ｂと第１及び第２の結合調整電極５０及び５２との位置ずれの影響を抑制することができる。具体的には第１及び第２の結合調整電極５０及び５２の効果は、第１及び第２の共振素子１４ａ及び１４ｂとの相対位置の影響を受けるが、第１及び第２の結合調整電極５０及び５２を第１及び第２の共振素子１４ａ及び１４ｂの長さ方向中心に対して線対称の位置に形成することで、たとえ第１及び第２の共振素子１４ａ及び１４ｂの長手方向に位置ずれが生じたとしても、第１及び第２の結合調整電極５０及び５２の効果の変化が互いに相殺するようになり、第１及び第２の共振素子１４ａ及び１４ｂと第１及び第２の結合調整電極５０及び５２との位置ずれの影響を抑制することができる。
【００７２】
また、本実施の形態では、第１及び第２の共振素子１４ａ及び１４ｂの両開放端に誘電体層を挟んで重なるように配置された内層アース電極４４ａ〜４４ｈを設けるようにしているため、第１及び第２の共振素子１４ａ及び１４ｂの開放端側と内層アース電極４４ａ〜４４ｈとの間に形成される静電容量も第１及び第２の共振素子１４ａ及び１４ｂを等価変換したときの並列共振回路の静電容量に付加されることになるため、共振周波数を同一とすれば、並列共振回路のインダクタンスは小さくて済むことになり、その結果、第１及び第２の共振素子１４ａ及び１４ｂの長さ（共振器長）もより小さくすることができ、フィルタ部１６全体の長さを短くすることができる。
【００７３】
この場合に、フィルタ部１６を小型化するために、内層アース電極４４ａ〜４４ｈと第１及び第２の共振素子１４ａ及び１４ｂとの対向面積を増加させていくと、第１及び第２の共振素子１４ａ及び１４ｂ同士がますます強く誘導結合して、フィルタの特性を広帯域化させすぎるという問題が生じる。
【００７４】
しかし、本実施の形態においては、上述した第１及び第２の結合調整電極５０及び５２を設けるようにしているため、これら第１及び第２の結合調整電極５０及び５２と第１及び第２の共振素子１４ａ及び１４ｂ間に形成される容量によって、第１及び第２の共振素子１４ａ及び１４ｂ間の静電容量と、第１及び第２の共振素子１４ａ及び１４ｂ間の誘導結合から構成されるトータルのサセプタンスの絶対値が変化することとなる。従って、この容量の値を調整することによって第１の共振素子１４ａと第２の共振素子１４ｂとの間の結合度を調整することができ、所望の帯域幅を有するフィルタを得ることができる。
【００７５】
また、第１及び第２の共振素子１４ａ及び１４ｂと内層アース電極４４ａ〜４４ｈで、第１及び第２の共振素子１４ａ及び１４ｂの長手方向（軸方向）に積層ずれが生じたとしても、第１及び第２の共振素子１４ａ及び１４ｂの各開放端の容量変化が相殺し合うため、共振周波数のばらつきを小さくすることができる。
【００７６】
次に、第１の実施の形態に係るアンテナ装置１０Ａについてのいくつかの変形例を図５〜図７を参照しながら説明する。なお、図１と対応するものについては同符号を付してその重複説明を省略する。
【００７７】
まず、第１の変形例に係るアンテナ装置１０Ａａは、図５に示すように、第１の実施の形態に係るアンテナ装置１０Ａ（図１参照）とほぼ同じ構成を有するが、第５の誘電体層Ｓ５の一主面に２つの入出力用電極（第１及び第２の入出力用電極２６ａ及び２６ｂ）が形成されている点で異なる。
【００７８】
この場合、フィルタ部１６は、アンテナ部２０側の第１及び第２の入出力用電極２８及び３０を通じてアンテナ部２０と平衡入出力方式で接続され、反対側の第１及び第２の入出力用電極２６ａ及び２６ｂを通じて図示しない他の回路と平衡入出力方式で接続されることになる。
【００７９】
上述した第１の実施の形態に係るアンテナ装置１０Ａは、フィルタ部１６における他の回路との接続端が非平衡入出力方式であり、この第１の変形例に係るアンテナ装置１０Ａａは、フィルタ部１６における他の回路との接続端が平衡入出力方式である。この発明に関する各種実施の形態並びに各種変形例においては、フィルタ部１６における他の回路との接続端が平衡入出力方式であっても非平衡入出力方式であっても同様である。従って、これ以降の変形例並びに実施の形態の説明においては、他の回路との接続端を非平衡入出力方式とした例を示し、平衡入出力方式についての説明は割愛する。
【００８０】
次に、第２の変形例に係るアンテナ装置１０Ａｂは、図６に示すように、第１の実施の形態に係るアンテナ装置１０Ａ（図１参照）とほぼ同じ構成を有するが、第１の誘電体層Ｓ１の一主面側に更に第１０の誘電体層Ｓ１０を重ねている点で異なる。
【００８１】
つまり、上述した第１の実施の形態に係るアンテナ装置１０Ａでは、アンテナ部２０が誘電体基板１２から露出した形態を有するが、この第２の変形例に係るアンテナ装置１０Ａｂでは、アンテナ部２０が誘電体基板１２内に内装された形態となる。
【００８２】
ここで、アンテナ部２０を誘電体基板１２の表面に形成した場合と、誘電体基板１２の内部に形成した場合での相違点を説明する。
【００８３】
アンテナ部２０を誘電体基板１２の表面に形成した場合は、誘電体基板１２の内部に形成した場合よりも実効誘電率が低くなる。その理由は、アンテナ部２０を誘電体基板１２の表面に形成すると、放射導体が空気（誘電率＝１）にも面しているため、実効誘電率が空気の影響を受けるからである。従って、誘電体基板１２の内部にアンテナ部２０を形成した方がアンテナ部２０を小型化することができる。
【００８４】
但し、一般に誘電率の高い材料で誘電体基板１２を構成した場合、アンテナ部２０の帯域幅の減少、利得の低下といった問題が発生するため、形状と要求特性のバランスをとりながら、使用する誘電体の誘電率あるいは使用するアンテナの形成位置を決めることとなる。
【００８５】
次に、第３の変形例に係るアンテナ装置１０Ａｃは、図７に示すように、第１の実施の形態に係るアンテナ装置１０Ａ（図１参照）とほぼ同じ構成を有するが、第１の誘電体層Ｓ１の一主面にアンテナ部２０を形成せずに、第３の誘電体層Ｓ３の一主面にアンテナ部２０が形成されている点で異なる。
【００８６】
つまり、上述した第１の実施の形態に係るアンテナ装置１０Ａでは、アンテナ部２０がフィルタ部１６よりも上方に位置された形態を有するが、この第３の変形例に係るアンテナ装置１０Ａｃでは、アンテナ部２０がフィルタ部１６とほぼ同じ位置に形成された形態を有する。これは、アンテナ部２０が必ずしもフィルタ部１６よりも上にある必要はないことに基づくものである。
【００８７】
次に、第２の実施の形態に係るアンテナ装置１０Ｂについて図８及び図９を参照しながら説明する。なお、図１と対応するものについては同符号を付してその重複説明を省略する。
【００８８】
この第２の実施の形態に係るアンテナ装置１０Ｂは、図８に示すように、第１の実施の形態に係るアンテナ装置１０Ａ（図１参照）とほぼ同じ構成を有するが、第１の誘電体層Ｓ１の一主面に形成されるアンテナ部２０がループアンテナ６０である点と、第４の誘電体層Ｓ４及び第８の誘電体層Ｓ８の各一主面に形成された内層アース電極４４ａ〜４４ｈが、図９に示すように、誘電体基板１２の正面及び背面に形成されたアース電極２４に直接接続されている点と、第２の誘電体層Ｓ２の一主面及び第９の誘電体層Ｓ９の他主面に形成された内層アース電極４０及び４２が、誘電体基板１２の正面及び背面にまで拡大して形成されている点で異なる。
【００８９】
この第２の実施の形態に係るアンテナ装置１０Ｂにおいても、前記第１の実施の形態に係るアンテナ装置１０Ａと同様に、フィルタ部１６に使用される第１及び第２の共振素子１４ａ及び１４ｂが、両端が開放されたかたちとなっているため、誘電体基板１２の端部にまで共振器を延在して形成する必要がなく、製造プロセスによる基板寸法の変動等によっても共振周波数がばらつくということがない。従って、高性能なアンテナ装置１０Ｂを提供することができる。
【００９０】
また、第１及び第２の共振素子１４ａ及び１４ｂのうち、少なくとも第２の共振素子１４ｂの長さ方向中心に対して線対称の位置に配置された第１及び第２の入出力用電極２８及び３０を誘電体基板１２内に設け、第１及び第２の入出力用電極２８及び３０をアンテナ部２０の第１及び第２の入出力端子３２及び３４にそれぞれ接続するようにしたので、アンテナ部２０との接続において平衡入力（出力）と非平衡入力（出力）を適宜選択して行うことができ、バラン等の余分な回路部品を用いることなしに平衡入出力方式のアンテナ部２０との接続を行うことができる。
【００９１】
これは、アンテナ装置１０Ｂの小型化及び高性能化に寄与することになり、ひいてはアンテナを有する電子機器（通信機器を含む）の小型化及び高性能化を確実に実現させることができる。
【００９２】
また、この実施の形態においても、第１及び第２の結合調整電極５０及び５２を設けるようにしたので、所望の帯域幅を有するフィルタを得ることができる。
【００９３】
次に、第２の実施の形態に係るアンテナ装置１０Ｂについてのいくつかの変形例を図１０〜図１６を参照しながら説明する。なお、図８と対応するものについては同符号を付してその重複説明を省略する。
【００９４】
まず、第１の変形例に係るアンテナ装置１０Ｂａは、図１０に示すように、第２の実施の形態に係るアンテナ装置１０Ｂ（図８参照）とほぼ同じ構成を有するが、第１の誘電体層Ｓ１の一主面に形成された電極膜による第１の蛇行パターン６０ａと、第９の誘電体層Ｓ９の一主面に形成された電極膜による第２の蛇行パターン６０ｂと、図１１に示すように、誘電体基板１２の右側面に形成され、かつ、第１の蛇行パターン６０ａの一端部と第２の蛇行パターン６０ｂの一端部とを電気的に接続する導体パターン６０ｃとでループアンテナ６０（アンテナ部２０）が構成されている点で異なる。
【００９５】
この場合、第１の蛇行パターン６０ａの他端部（第１の入出力端子３２）と第１の入出力用電極２８とがスルーホール３６で電気的に接続され、第２の蛇行パターン６０ｂの他端部（第２の入出力端子３４）と第２の入出力用電極３０とがスルーホール３８で電気的に接続される。
【００９６】
この第１の変形例においては、ループアンテナ６０（アンテナ部２０）に蛇行パターン６０ａ及び６０ｂを含めるようにしたため、実効アンテナ長を長くすることができ、その分、アンテナ部２０の小型化を実現させることができる。
【００９７】
次に、第２の変形例に係るアンテナ装置１０Ｂｂは、図１２に示すように、第２の実施の形態に係るアンテナ装置１０Ｂ（図８参照）とほぼ同じ構成を有するが、第１の誘電体層Ｓ１の一主面側に更に第１０の誘電体層Ｓ１０を重ねている点で異なる。
【００９８】
つまり、上述した第２の実施の形態に係るアンテナ装置１０Ｂでは、アンテナ部２０が誘電体基板１２から露出した形態を有するが、この第２の変形例に係るアンテナ装置１０Ｂｂでは、アンテナ部２０が誘電体基板１２内に内装された形態となる。
【００９９】
この場合、誘電体基板１２の表面にアンテナ部２０を形成した場合よりも、アンテナ部２０の実効誘電率が高くなるため、アンテナ部２０を小型化することができる。
【０１００】
次に、第３の変形例に係るアンテナ装置１０Ｂｃは、図１３に示すように、第１の変形例に係るアンテナ装置１０Ｂａ（図１０参照）とほぼ同じ構成を有するが、第１の誘電体層Ｓ１の一主面側に更に第１０の誘電体層Ｓ１０が積層され、第９の誘電体層Ｓ９の他主面側に更に第１１の誘電体層Ｓ１１が積層されている点と、第１の蛇行パターン６０ａの一端部と第２の蛇行パターン６０ｂの一端部とが誘電体基板１２の内部においてスルーホール６２で電気的に接続されている点で異なる。
【０１０１】
つまり、上述した第１の変形例に係るアンテナ装置１０Ｂａでは、アンテナ部２０が誘電体基板１２から露出した形態を有するが、この第３の変形例に係るアンテナ装置１０Ｂｃでは、アンテナ部２０が誘電体基板１２内に内装された形態となる。
【０１０２】
この場合、誘電体基板１２の表面にアンテナ部２０を形成した場合よりも、アンテナ部２０の実効誘電率が高くなり、しかも、蛇行パターン６０ａ及び６０ｂにより実効アンテナ長が長くなるため、アンテナ部２０を更に小型化することができる。
【０１０３】
次に、第４の変形例に係るアンテナ装置１０Ｂｄは、図１４に示すように、第２の実施の形態に係るアンテナ装置１０Ｂ（図９参照）とほぼ同じ構成を有するが、アンテナ部２０を構成するループアンテナ６０が誘電体基板１２の上面、正面、右側面及び背面にかけて形成されている点で異なる。
【０１０４】
この場合も、実効アンテナ長を長くとることができるため、アンテナ部２０の小型化を達成させることができる。
【０１０５】
上述の第２の実施の形態に係るアンテナ装置２０Ｂ並びにその第１〜第４の変形例に係るアンテナ装置１０Ｂａ〜１０Ｂｄにおいては、アンテナ部２０として、ループアンテナ６０を用いた例を示したが、図１５に示すように、第１の蛇行パターン６０ａと第２の蛇行パターン６０ｂとで構成されたダイポールアンテナ７０を用いるようにしてもよい。
【０１０６】
また、第１及び第３の変形例に係るアンテナ装置１０Ｂａ及び１０Ｂｃにおいては、第１の蛇行パターン６０ａと第２の蛇行パターン６０ｂをそれぞれ別の誘電体層に形成した例を示したが、その他、図１６に示すように、同一の誘電体層（例えば第１の誘電体層Ｓ１の一主面）に形成するようにしてもよい。
【０１０７】
ところで、電子部品を小型化する方法の１つとして、高誘電率材料を使用することが挙げられる。
【０１０８】
この場合に、フィルタ部１６は、比較的問題なく高誘電率材料を使用することができるが、アンテナ部２０においては、材料の誘電率が高くなるに従って、アンテナの帯域幅の減少、低利得化といった問題が生じる。
【０１０９】
以下に示す第３の実施の形態に係るアンテナ装置１０Ｃはこのような問題を解決したものである。
【０１１０】
第３の実施の形態に係るアンテナ装置１０Ｃについて図１７を参照しながら説明する。なお、図１と対応するものについては同符号を付してその重複説明を省略する。
【０１１１】
この第３の実施の形態に係るアンテナ装置１０Ｃは、図１７に示すように、第１の実施の形態に係るアンテナ装置１０Ａ（図１参照）とほぼ同じ構成を有するが、アンテナ部２０が形成される第１の誘電体層Ｓ１に代えて、第１〜第９の誘電体層Ｓ１〜Ｓ９よりも低誘電率の第１２の誘電体層Ｓ１２を用い、該第１２の誘電体層Ｓ１２の一主面にアンテナ部２０を形成している点と、第１２の誘電体層Ｓ１２と第２の誘電体層Ｓ２との間に低誘電率の第１３及び第１４の誘電体層Ｓ１３及びＳ１４を積層している点で異なる。もちろん、これら第１２〜第１４の誘電体層Ｓ１２〜Ｓ１４は、第１〜第１１の誘電体層Ｓ１〜Ｓ１１と同様に、それぞれ１枚あるいは複数枚の層にて構成される。
【０１１２】
このように、第３の実施の形態に係るアンテナ装置１０Ｃにおいては、フィルタ部１６に高誘電率の誘電体層Ｓ２〜Ｓ９を用いることができ、アンテナ部２０に低誘電率の誘電体層Ｓ１２〜Ｓ１４を用いることができるため、フィルタ部１６を小型化できると同時に、アンテナ部２０における帯域幅の減少、低利得化を有効に抑えることが可能となる。
【０１１３】
次に、第３の実施の形態に係るアンテナ装置１０Ｃの変形例について図１８を参照しながら説明する。なお、図１７と対応するものについては同符号を付してその重複説明を省略する。
【０１１４】
この変形例に係るアンテナ装置１０Ｃａは、図１８に示すように、第３の実施の形態に係るアンテナ装置１０Ｃ（図１７参照）とほぼ同じ構成を有するが、第１３の誘電体層Ｓ１３の一主面にアンテナ部２０が形成されている点で異なる。
【０１１５】
つまり、上述した第３の実施の形態に係るアンテナ装置１０Ｃでは、アンテナ部２０が誘電体基板１２から露出した形態を有するが、この変形例に係るアンテナ装置１０Ｃａでは、アンテナ部２０が誘電体基板１２に内装された形態となる。
【０１１６】
この場合、誘電体基板１２の表面にアンテナ部２０を形成した場合よりも、アンテナ部２０の実効誘電率が高くなるため、アンテナ部２０を小型化することができる。
【０１１７】
次に、第４の実施の形態に係るアンテナ装置１０Ｄについて図１９を参照しながら説明する。なお、図８と対応するものについては同符号を付してその重複説明を省略する。
【０１１８】
この第４の実施の形態に係るアンテナ装置１０Ｄは、図１９に示すように、第２の実施の形態に係るアンテナ装置１０Ｂ（図８参照）とほぼ同じ構成を有するが、第６の誘電体層Ｓ６の一主面に形成された第１の共振素子１４ａに直接入出力用電極２６が接続され、第２の共振素子１４ｂに直接第１及び第２の入出力用電極２８及び３０が形成されている点と、第５の誘電体層Ｓ５の一主面に第７の誘電体層Ｓ７に形成された第１及び第２の結合調整電極５０及び５２と同じ構成を有する第３及び第４の結合調整電極８０及び８２が形成されている点で異なる。
【０１１９】
つまり、この第４の実施の形態に係るアンテナ装置１０Ｄは、誘電体基板１２の左側面に形成された入出力端子２２と誘電体基板１２内の第１の共振素子１４ａとが入出力用電極２６を介して直接接続され、アンテナ部２０の第１及び第２の入出力端子３２及び３４と第２の共振素子１４ｂとがそれぞれ第１及び第２の入出力用電極２８及び３０を介して直接接続されている。
【０１２０】
この第４の実施の形態に係るアンテナ装置１０Ｄにおいても、前記第１の実施の形態に係るアンテナ装置１０Ａと同様に、フィルタ部１６に使用される第１及び第２の共振素子１４ａ及び１４ｂが、両端が開放されたかたちとなっているため、誘電体基板１２の端部にまで第１及び第２の共振素子１４ａ及び１４ｂを延在して形成する必要がなく、製造プロセスによる基板寸法の変動等によっても共振周波数がばらつくということがない。従って、高性能なアンテナ装置１０Ｄを提供することができる。
【０１２１】
また、第１及び第２の共振素子１４ａ及び１４ｂのうち、少なくとも第２の共振素子１４ｂの長さ方向中心に対して線対称の位置に配置された第１及び第２の入出力用電極２８及び３０を誘電体基板１２内に設け、第１及び第２の入出力用電極２８及び３０をアンテナ部２０の第１及び第２の入出力端子３２及び３４にそれぞれ接続するようにしたので、アンテナ部２０との接続において平衡入力（出力）と非平衡入力（出力）を適宜選択して行うことができ、バラン等の余分な回路部品を用いることなしに平衡入出力方式のアンテナ部２０との接続を行うことができる。
【０１２２】
これは、アンテナ装置１０Ｄの小型化及び高性能化に寄与することになり、ひいてはアンテナを有する電子機器（通信機器を含む）の小型化及び高性能化を確実に実現させることができる。
【０１２３】
また、この実施の形態においても、第１〜第４の結合調整電極５０、５２、８０及び８２を設けるようにしたので、所望の帯域幅を有するフィルタを得ることができる。
【０１２４】
もちろん、図２０に示す変形例に係るアンテナ装置１０Ｄａのように、第３及び第４の結合調整電極８０及び８２が形成された第５の誘電体層Ｓ５を除去するようにしてもよい。
【０１２５】
ところで、ダイポールアンテナやループアンテナ等の平衡入力アンテナは、例えば携帯電話等で広く使われているモノポールや逆Ｆアンテナが１／４波長相当の大きさで十分であるのに対して、１／２波長から１波長の長さが必要となり、アンテナ形状が大きくなる。その結果、アンテナ装置１０Ａの小型化を十分に果たせなくなるおそれがある。
【０１２６】
そこで、以下に示す第５〜第７の実施の形態に係るアンテナ装置１０Ｅ〜１０Ｇは、上述のような不都合を解決したものである。
【０１２７】
まず、第５の実施の形態に係るアンテナ装置１０Ｅについて図２１及び図２２を参照しながら説明する。
【０１２８】
この第５の実施の形態に係るアンテナ装置１０Ｅは、図２１に示すように、上述した第１の実施の形態に係るアンテナ装置１０Ａとほぼ同じ構成を有するが、内層アース電極４０の両側からアンテナ１８の各開放端に向かって張り出す第２の内層アース電極９０が一体に形成され、これら第２の内層アース電極９０の各端部とアンテナ１８の各開放端とが第１の誘電体層Ｓ１を間に挟んで重なるようになっている点で異なる。
【０１２９】
そのため、図２２に示すように、アンテナ部２０を構成する各アンテナ１８の開放端と第２の内層アース電極９０との間に、それぞれ静電容量Ｃ２０が形成されたかたちとなる。
【０１３０】
そして、アンテナ部２０を構成するアンテナ１８は、誘電体基板１２に形成されたストリップラインにて構成するようにしている。このストリップラインは、フィルタ部１６に形成される共振器１４ａ、１４ｂと等価とみることができ、並列共振回路として等価変換することが可能である。
【０１３１】
従って、アンテナ１８の各開放端と第２の内層アース電極９０との間に形成される静電容量Ｃ２０がアンテナ１８を等価変換したときの並列共振回路の静電容量に付加されることになるため、共振周波数を同一とすれば、該並列共振回路のインダクタンスは小さくて済むことになり、その結果、アンテナ１８の長さ（アンテナ長）もより小さくすることができ、アンテナ部２０全体の長さを短くすることができる。
【０１３２】
このように、この第５の実施の形態においては、部品点数の削減化、アンテナ特性が電子機器の筐体の影響を受け難い等の利点に加えて、アンテナ装置１０Ｅの小型化を有効に図ることができるという利点を兼ね備えることになる。
【０１３３】
次に、第６の実施の形態に係るアンテナ装置１０Ｆについて図２３及び図２４を参照しながら説明する。
【０１３４】
この第６の実施の形態に係るアンテナ装置１０Ｆは、図２３に示すように、上述した第２の実施の形態に係るアンテナ装置１０Ｂ（図８参照）とほぼ同様の構成を有するが、以下の点で異なる。
【０１３５】
まず、アンテナ部２０を構成するアンテナ６０が、各開放端が互いに近接する位置となるように第１の誘電体層Ｓ１上に形成され、各開放端の間に僅かな隙間が形成されている。
【０１３６】
第２の誘電体層Ｓ２上に、内層アース電極４０のほか、前記アンテナ６０の各開放端に対応する位置に第２の内層アース電極９２が形成され、各アンテナ６０の開放端と第２の内層アース電極９２との間に静電容量（図示せず）を形成するようにしている。
【０１３７】
この第２の内層アース電極９２は、例えば図２４に示すように、誘電体基板１２のフィルタ部１６側の表面に形成されたアース電極２４とは別の位置（図示の例では右側面）に形成された第２のアース電極９４と接続されている。
【０１３８】
この第６の実施の形態においても、アンテナ６０の各開放端に対応する位置に第２の内層アース電極９２を形成することによって、アンテナ６０の各開放端と第２の内層アース電極９２との間に静電容量を形成するようにしたので、部品点数の削減化、アンテナ特性が電子機器の筐体の影響を受け難い等の利点に加えて、アンテナ装置１０Ｆの小型化を有効に図ることができるという利点を兼ね備えることになる。
【０１３９】
次に、第７の実施の形態に係るアンテナ装置１０Ｇについて図２５及び図２６を参照しながら説明する。
【０１４０】
この第７の実施の形態に係るアンテナ装置１０Ｇは、図２５に示すように、第２の実施の形態に係るアンテナ装置１０Ｂの第１の変形例１０Ｂａ（図１０参照）とほぼ同様の構成を有するが、以下の点で異なる。
【０１４１】
まず、アンテナ部２０は、第１の誘電体層Ｓ１の一主面に形成された電極膜による第１の蛇行パターン６０ａと、第９の誘電体層Ｓ９の一主面に形成された電極膜による第２の蛇行パターン６０ｂとで構成されている。
【０１４２】
そして、第２の誘電体層Ｓ２上のうち、前記第１の蛇行パターン６０ａの開放端と第１の誘電体層Ｓ１を間に挟んで重なる位置に第２の内層アース電極９６が形成され、第８の誘電体層Ｓ８上のうち、前記第２の蛇行パターン６０ｂの開放端と第９の誘電体層Ｓ９を間に挟んで重なる位置に第３の内層アース電極９８が形成されている。これら第２及び第３の内層アース電極９６及び９８は、例えば図２６に示すように、誘電体基板１２のフィルタ部１６側の表面に形成されたアース電極２４とは別の位置（図示の例では右側面）に形成された第２のアース電極９４と接続されている。
【０１４３】
更に、この実施の形態においては、第１の蛇行パターン６０ａの他端部（第１の入出力端子３２）と第１の入出力用電極２８とがスルーホール３６で電気的に接続され、第２の蛇行パターン６０ｂの他端部（第２の入出力端子３４）と第２の入出力用電極３０とがスルーホール３８で電気的に接続される。
【０１４４】
この第７の実施の形態においても、アンテナ部２０を構成する第１の蛇行パターン６０ａの開放端と第２の内層アース電極９６との間に静電容量が形成され、第２の蛇行パターン６０ｂの開放端と第３の内層アース電極９８との間に静電容量が形成されることになるため、部品点数の削減化、アンテナ特性が電子機器の筐体の影響を受け難い等の利点に加えて、アンテナ装置１０Ｇの小型化を有効に図ることができるという利点を兼ね備えることになる。
【０１４５】
なお、この発明に係るアンテナ装置は、上述の実施の形態に限らず、この発明の要旨を逸脱することなく、種々の構成を採り得ることはもちろんである。
【図面の簡単な説明】
【０１４６】
【図１】第１の実施の形態に係るアンテナ装置の構成を示す分解斜視図である。
【図２】第１の実施の形態に係るアンテナ装置において、内層アース電極の形成面に対して直交する方向に切断した場合の構成を示す断面図である。
【図３】第１の実施の形態に係るアンテナ装置において、第１及び第２の入出力端子の形成面に対して直交する方向に切断した場合の構成を示す断面図である。
【図４】第１の実施の形態に係るアンテナ装置において、第６及び第７の誘電体層に形成された電極のパターンを示す説明図である。
【図５】第１の実施の形態に係るアンテナ装置の第１の変形例の構成を示す分解斜視図である。
【図６】第１の実施の形態に係るアンテナ装置の第２の変形例の構成を示す分解斜視図である。
【図７】第１の実施の形態に係るアンテナ装置の第３の変形例の構成を示す分解斜視図である。
【図８】第２の実施の形態に係るアンテナ装置の構成を示す分解斜視図である。
【図９】第２の実施の形態に係るアンテナ装置の外観を示す斜視図である。
【図１０】第２の実施の形態に係るアンテナ装置の第１の変形例の構成を示す分解斜視図である。
【図１１】第２の実施の形態に係るアンテナ装置の第１の変形例の外観を示す斜視図である。
【図１２】第２の実施の形態に係るアンテナ装置の第２の変形例の構成を示す分解斜視図である。
【図１３】第２の実施の形態に係るアンテナ装置の第３の変形例の構成を示す分解斜視図である。
【図１４】第２の実施の形態に係るアンテナ装置の第４の変形例の外観を示す斜視図である。
【図１５】第１の蛇行パターンと第２の蛇行パターンとで構成されたダイポールアンテナを示す平面図である。
【図１６】第１の蛇行パターンと第２の蛇行パターンとで構成されたループアンテナを示す平面図である。
【図１７】第３の実施の形態に係るアンテナ装置の構成を示す分解斜視図である。
【図１８】第３の実施の形態に係るアンテナ装置の変形例の構成を示す分解斜視図である。
【図１９】第４の実施の形態に係るアンテナ装置の構成を示す分解斜視図である。
【図２０】第４の実施の形態に係るアンテナ装置の変形例の構成を示す分解斜視図である。
【図２１】第５の実施の形態に係るアンテナ装置の構成を示す分解斜視図である。
【図２２】第５の実施の形態に係るアンテナ装置において、第２の内層アース電極とアンテナの開放端とが対向する部分に対して直交する方向に切断した場合の構成を示す断面図である。
【図２３】第６の実施の形態に係るアンテナ装置の構成を示す分解斜視図である。
【図２４】第６の実施の形態に係るアンテナ装置の外観を示す斜視図である。
【図２５】第７の実施の形態に係るアンテナ装置の構成を示す分解斜視図である。
【図２６】第７の実施の形態に係るアンテナ装置の外観を示す斜視図である。
【符号の説明】
【０１４７】
１０Ａ、１０Ａａ〜１０Ａｃ、１０Ｂ、１０Ｂａ〜１０Ｂｄ、１０Ｃ、１０Ｃａ、１０Ｄ、１０Ｄａ、１０Ｅ、１０Ｆ、１０Ｇ…アンテナ装置
１２…誘電体基板
１４ａ、１４ｂ…第１及び第２の共振素子
１６…フィルタ部                    ２０…アンテナ部
２２…入出力端子                    ２４…アース電極
２６…入出力用電極
２８、３０…第１及び第２の入出力用電極
３２、３４…第１及び第２の入出力端子
３６、３８…スルーホール            ４０、４２…内層アース電極
４４ａ〜４４ｈ…内層アース電極      ５０、５２、８０、８２…結合調整電極
９０、９２、９６…第２の内層アース電極
９４…第２のアース電極              ９８…第３の内層アース電極
Ｓ１〜Ｓ１４…第１〜第１４の誘電体層
【図１】
2006148959.tif 000003
【図２】
2006148959.tif 000004
【図３】
2006148959.tif 000005
【図４】
2006148959.tif 000006
【図５】
2006148959.tif 000007
【図６】
2006148959.tif 000008
【図７】
2006148959.tif 000009
【図８】
2006148959.tif 000010
【図９】
2006148959.tif 000011
【図１０】
2006148959.tif 000012
【図１１】
2006148959.tif 000013
【図１２】
2006148959.tif 000014
【図１３】
2006148959.tif 000015
【図１４】
2006148959.tif 000016
【図１５】
2006148959.tif 000017
【図１６】
2006148959.tif 000018
【図１７】
2006148959.tif 000019
【図１８】
2006148959.tif 000020
【図１９】
2006148959.tif 000021
【図２０】
2006148959.tif 000022
【図２１】
2006148959.tif 000023
【図２２】
2006148959.tif 000024
【図２３】
2006148959.tif 000025
【図２４】
2006148959.tif 000026
【図２５】
2006148959.tif 000027
【図２６】
2006148959.tif 000028